(57)【要約】      （修正有）【課題】入れ子収納可能なため収納スペースが節約できる手作り石鹸製作用石鹸型を提供する。【解決手段】天地抜け４面枠体である横型石鹸型Ａと、その石鹸型Ａの底を塞ぐ平面視四角形の受け皿Ｂと、石鹸型Ａに流し込まれた石鹸を押し出す押し出し器Ｃとからなる。押し出し器Ｃを中空の四角筒体とし、押し出し器Ｃの一方の開口部を塞ぐ平面視四角形の受け皿Ｄと、押し出し器Ｃの中に挿入される天地抜け４面枠体押し出し器Ｅを備える。【選択図】図１
0003163063.tif 000002
【実用新案登録請求の範囲】
【請求項１】
天地抜け４面枠体である横型石鹸型Ａと、その石鹸型Ａの底を塞ぐ平面視四角形の受け皿Ｂと、石鹸型Ａに流し込まれた石鹸を押し出す押し出し器Ｃとからなる手作り石鹸用製作用石鹸型において、前記押し出し器Ｃを縦型石鹸型としても使用するために、押し出し器Ｃを中空の四角筒体とし、押し出し器Ｃの一方の開口部を塞ぐ平面視四角形の受け皿Ｄと、押し出し器Ｃの中に挿入される天地抜け４面枠体押し出し器Ｅを備えたことを特徴とする手作り石鹸製作用石鹸型。
【請求項２】
請求項１の手作り石鹸製作用石鹸型において、前記天地抜け４面枠体押し出し器Ｅを石鹸型として使うために、その底を塞ぐ平面視四角形の受け皿Ｆと、前記天地抜け４面枠体押し出し器Ｅに流し込まれた石鹸を押し出すための押し出し板Ｇとを備えたことを特徴とする手作り石鹸製作用石鹸型。
【請求項３】
請求項１の手作り石鹸製作用石鹸型において、前記石鹸型Ａと押し出し器兼縦型石鹸型Ｃは、同じ幅の石鹸が出来上がるサイズに成形されていることを特徴とする手作り石鹸製作用石鹸型。
【請求項４】
請求項１の手作り石鹸製作用石鹸型において、石鹸型Ａと押し出し器兼縦型石鹸型Ｃと押し出し器兼石鹸型Ｅは、入れ子式に収納可能なことを特徴とする手作り石鹸製作用石鹸型。
【請求項５】
請求項１の手作り石鹸製作用石鹸型において、前記天地抜け４面枠体押し出し器Ｅに代えて押し出し板Ｅｚとすることを特徴とする手作り石鹸製作用石鹸型。
【考案の詳細な説明】
【技術分野】
【０００１】  本考案は、手作り石鹸製作用の石鹸型に関するものであり、特に家庭で石鹸製作する際に使用する石鹸型に関するものである。
【背景技術】
【０００２】  近年家庭においてオリーブ油・ココナツ油・パーム油などの食用油と苛性ソーダを原料とした石鹸作りが盛んに行われている。愛好家は手作り石鹸の使い心地や、石鹸の色付け・模様付け、香り付けなどを楽しんでいる。
手作り石鹸製作によく使用する石鹸型は、牛乳パック、木型、シリコン型、プラスチック型、アクリル型などである。【０００３】  従来市販品の手作り石鹸製作用アクリル石鹸型は、石鹸型である天地抜け４面枠体と、その底を塞ぐ平面視四角形の受け皿と、石鹸型から石鹸を押し出すための押し出し板の３点で構成される。押し出し板の代わりに、四角筒の押し出し器を使うものもある。
その使用方法は、石鹸型である天地抜け４面枠体の底部分を食品用ラップフィルムで覆い、前記受け皿の上に置いて石鹸生地を注ぎ、石鹸が固まれば、食品用ラップフィルムを外し、石鹸に、前記押し出し用板または前記押し出し器をあてがい石鹸を押し出して取り出す。
【考案の概要】
【考案が解決しようとする課題】
【０００４】  石鹸型から石鹸を取り出す際に押し出し板を使用するものは、石鹸型製作の際の使用材料が少ないため石鹸型の値段を安く設定できる半面、非常に石鹸を取り出しにくく、押し出し後不安定なため石鹸が倒れてしまい傷がつくことがある。自分の手で作った手作り石鹸に対して愛好家は一般に非常に愛着があり、模様や香りに凝って美しい石鹸を楽しむ人も多いため、せっかくできた石鹸が倒れたり傷がついてしまっては台無しである。
一方、四角筒の押し出し器を使用するものは押し出しが簡単で、石鹸を取り出した後も安定した状態で静置できる。【０００５】  直方体の石鹸が出来上がる石鹸型は横型のものが一般的であるが、縦型の石鹸型もある。縦型の石鹸型では横型では不可能なユニークな模様のデザインを作ることができるが、色々な種類の石鹸型を揃えると、かさ張るので家庭での収納場所に困る。【０００６】  そこで、この考案は、四角筒の押し出し器を、縦型の石鹸型としても兼用することで、収納スペースを解決しながら、多様な石鹸のデザインを楽しめる石鹸型を提供することを目的とする。
【課題を解決するための手段】
【０００７】  天地抜け４面枠体である横型石鹸型Ａと、その石鹸型Ａの底を塞ぐ平面視四角形の受け皿Ｂと、石鹸型Ａに流し込まれた石鹸を押し出す押し出し器Ｃとからなる手作り石鹸製作用石鹸型において、前記押し出し器Ｃを縦型石鹸型としても使用するために、押し出し器Ｃを中空の四角筒体とし、その押し出し器Ｃの一方の開口部を塞ぐ受け皿Ｄと、押し出し器Ｃの中に挿入される天地抜け４面枠体押し出し器Ｅを備えたことを特徴とする。
さらに、前記天地抜け４面枠体押し出し器Ｅを石鹸型として使うために、その底を塞ぐ平面視四角形の受け皿Ｆと、前記天地抜け４面枠体押し出し器Ｅに流し込まれた石鹸を押し出すための押し出し板Ｇとを備え、前記受け皿Ｄを押し出し用支持具として使うことを特徴とする。
さらに、前記石鹸型Ａと押し出し器兼縦型石鹸型Ｃは、同じ幅の石鹸が出来上がるサイズに成形されていることを特徴とする。
また、前記石鹸型Ａと押し出し器兼縦型石鹸型Ｃと押し出し器兼石鹸型Ｅは、入れ子式に収納可能なことを特徴とする。
前記天地抜け４面枠体押し出し器Ｅを石鹸型として使用しない場合は、Ｅに代えて押し出し板Ｅｚを使用できることを特徴とする。
【考案の効果】
【０００８】  押し出し器が石鹸型を兼ねていることと、入れ子式に収納が可能であること、受け皿が押し出し用支持具を兼ねることから、石鹸型製造時の使用材料が少なくて済み、購入者は収納スペースを節約できる。
押し出し器や、押し出し板・押し出し用支持具があるため、石鹸を安定した状態で、手に触れることなく美しく取り出すことができる。【０００９】  横型石鹸型Ａと縦型石鹸型Ｃで作った石鹸の幅が同じになるように設計しているため、同じ大きさの石鹸を作ることが容易であり、石鹸を包装する上で利点がある。
石鹸のデザイン面でも利点がある。縦型石鹸型では、独特の多色層の模様や市松模様など、縦型であることを生かした石鹸の模様作りを工夫することができて楽しめる。
７点で構成される石鹸型セットでは、横型石鹸型Ｅで使いやすいミニサイズの石鹸も作ることができる。この家庭用の石鹸型セットは、縦型・横型・ミニサイズの３種類の石鹸型があり、多様なデザインを楽しむことができる。
【図面の簡単な説明】
【００１０】
【図１】組み立て図
【図２】使用説明図
【図３】石鹸型Ａの石鹸取り出し方法説明図
【図４】石鹸型Ｃの石鹸取り出し方法説明図
【図５】石鹸型Ｅの石鹸取り出し方法説明図
【図６】収納時外観
【考案を実施するための形態】
【００１１】図１に示すＡ〜Ｇの７点セットの手作り石鹸製作用石鹸型を備えた。
Ａ…横型石鹸型（Ａは、図１に示すような天地抜け４面枠体）
Ｂ…Ａ用受け皿（Ｂは、図１に示すようなＡの底を塞ぐもの）
Ｃ…Ａ用押し出し器兼縦型石鹸型（Ｃは、図１に示すような中空の四角筒）
Ｄ…Ｃ用受け皿兼Ｅ用押し出し用支持具（Ｄは、図１に示すようなＣの一方の開口部を塞ぐもの）
Ｅ…Ｃ用押し出し器兼横型石鹸型（Ｅは図１に示すような天地抜け４面枠体）
Ｅｚ…Ｃ用押し出し板（Ｅの小さい側面と同じ面積の板。Ｅがない場合に横型石鹸型Ｃから石鹸を取り出す際使用）
Ｆ…Ｅ用受け皿（Ｆは、図１に示すようなＥの底を塞ぐもの）
Ｇ…Ｅ用押し出し板（横型石鹸型Ｅの石けんを取り出す際、Ｄ・Ｆと共に使用）
【実施例】
【００１２】  図２に示すように、横型石鹸型Ａ，縦型石鹸型Ｃ、横型石鹸型Ｅの、少なくとも３つの石鹸型に石鹸生地を流し込むことができる。以下に石鹸生地を型に流し込む際の使用方法を説明する。
天地抜け４面枠体の横型石鹸型であるＡの底を食品用ラップフィルムで覆い、受け皿Ｂの上に置く。横型石鹸型Ａの中に石鹸生地を流し込む。
中空の四角筒であるＣの一方の開口部を食品用ラップフィルムで覆い、その面を下にして、受け皿Ｄの上に置く。縦型石鹸型となったＣの中に石鹸生地を流し込む。
天地抜け４面枠体の横型石鹸型であるＥの底を食品用ラップフィルムで覆い、受け皿Ｆの上に置く。横型石鹸型Ｅの中に石鹸生地を流し込む。
図２に示すようにそれぞれの石鹸型Ａ、Ｃ、Ｅに石鹸生地を流し込むと、翌日以降に石鹸は固まっている。【００１３】  図３、図４、図５は、それぞれの石鹸型Ａ、Ｃ、Ｅの中で固まった石鹸を取り出す方法を示す。以下に石鹸の取り出し方法を説明する。
図３に示すように、横型石鹸型Ａから石鹸を取り出す方法を説明する。
Ａ用受け皿であるＢの上に、中空の四角筒の押し出し器Ｃを置く。天地抜け４面枠体の横型石鹸型であるＡの底を覆った食品用ラップフィルムを剥がし、食品用ラップフィルムで覆っていた面を下にして押し出し器Ｃの上に置く。この時、押し出し器Ｃの上面は、横型石鹸型Ａ内部の石鹸に密着している。押し出し器Ｃの上面の面積は、密着している横型石鹸型Ａ内部の石鹸の面積より僅かに小さい。そして、天地抜け４面枠体の横型石鹸型Ａを、手で下に押すと、押し出し器Ｃの上部に石鹸が現れる。横型石鹸型Ａだけに手を触れて下に押すので、石鹸に手を触れることなく、美しく安定した状態で石鹸を取り出すことができる。【００１４】  図４に示すように、縦型石鹸型Ｃから石鹸を取り出す方法を説明する。
Ｃ用受け皿であるＤの上に、天地抜け４面枠体の押し出し器Ｅを縦にして置く。中空の四角筒であるＣの一方の側面開口部を覆った食品用ラップフィルムを剥がし、食品用ラップフィルムで覆っていた面を下にして押し出し器Ｅの上に置く。この時、縦に置いた押し出し器Ｅの上面は、縦型石鹸型Ｃ内部の石鹸に密着している。縦に置いた押し出し器Ｅの上面の面積は、密着している縦型石鹸型Ｃ内部の石鹸の面積より僅かに小さい。そして、縦に置いた中空の四角筒Ｃを、手で下に押すと、押し出し器Ｅの上部に石鹸が現れる。縦型石鹸型Ｃだけに手を触れて下に押すので、石鹸に手を触れることなく、美しく安定した状態で石鹸を取り出すことができる。【００１５】  図５に示すように、横型石鹸型Ｅから石鹸を取り出す方法を説明する。
Ｅ用受け皿であるＦの上に、受け皿Ｄを縦にして置き、押し出し用支持具とする。
前記Ｄの上に、Ｅ用押し出し板であるＧを置く。天地抜け４面枠体の横型石鹸型であるＥの底を覆った食品用ラップフィルムを剥がし、食品用ラップフィルムで覆っていた面を下にして押し出し板Ｇの上に置く。この時、押し出し板Ｇの上面は、横型石鹸型Ｅ内部の石鹸に密着している。押し出し板Ｇの上面の面積は、密着している横型石鹸型Ｅ内部の石鹸の面積より僅かに小さい。そして、天地抜け４面枠体の横型石鹸型Ｅを、手で下に押すと、押し出し板Ｇの上部に石鹸が現れる。横型石鹸型Ｅだけに手を触れて下に押すので、石鹸に手を触れることなく、美しく安定した状態で石鹸を取り出すことができる。【００１６】  中空の四角筒であるＣは、天地抜け４面枠体の横型石鹸型Ａから石鹸を取り出すための押し出し器であるが、これを縦型石鹸型として兼用できる。
天地抜け４面枠体であるＥは、中空の四角筒の縦型石鹸型Ｃから石鹸を取り出すために、Ｃの開口部から挿入される押し出し器であるが、これを横型石鹸型として兼用できる。【００１７】  天地抜け４面枠体の横型石鹸型Ａ、Ａの底を塞ぐ受け皿Ｂ、Ａ用押し出し器兼縦型石鹸型Ｃ（中空の四角筒）、Ｃの一方の側面を塞ぐ受け皿兼Ｅ用押し出し用支持具Ｄ、Ｃ用押し出し器兼横型石鹸型Ｅ（天地抜け４面枠体）、Ｅの底を塞ぐ受け皿Ｆの７点で構成する。
石鹸型がＡとＣのみ必要で石鹸型Ｅが不要な場合は、天地抜け４面枠体のＣ用押し出し器兼横型石鹸型Ｅの代わりに、Ｅの小さい側面と同じ面積の板であるＥｚを備え、ＡＢＣＤＥｚの５点で構成することもできる。
【符号の説明】
【００１８】Ｓ…石鹸
Ａ…横型石鹸型（Ａは、図１に示すような天地抜け４面枠体）
Ｂ…Ａ用受け皿（Ｂは、図１に示すようなＡの底を塞ぐもの）
Ｃ…Ａ用押し出し器兼縦型石鹸型（Ｃは、図１に示すような中空の四角筒）
Ｄ…Ｃ用受け皿兼Ｅ用押し出し用支持具（Ｄは、図１に示すようなＣの一方の開口部を塞ぐもの）
Ｅ…Ｃ用押し出し器兼横型石鹸型（Ｅは図１に示すような天地抜け４面枠体）
Ｅｚ…Ｃ用押し出し板（Ｅの小さい側面と同じ面積の板。Ｅがない場合に横型石鹸型Ｃから石鹸を取り出す際使用）
Ｆ…Ｅ用受け皿（Ｆは、図１に示すようなＥの底を塞ぐもの）
Ｇ…Ｅ用押し出し板（横型石鹸型Ｅの石けんを取り出す際、Ｄ・Ｆと共に使用）
【図１】
0003163063.tif 000003
【図２】
0003163063.tif 000004
【図３】
0003163063.tif 000005
【図４】
0003163063.tif 000006
【図５】
0003163063.tif 000007
【図６】
0003163063.tif 000008